(57)【特許請求の範囲】
【請求項１】
同一装置の複数のステージに属する電子回路への分離した電力の供給装置であって、該装置は、複数の光電池（１２）と、複数の電力モジュール（１１）と、少なくとも一つの人工の光源（１４）とを備え：前記複数の光電池（１２）は、所望の強度の出力電圧と電流を供給するためにグループとなるように相互に電気的に接続され；前記複数の電力モジュール（１１）は、前記複数の光電池（１２）のグループの出力に連関するものであり、適切な値の電圧と電流によって、前記同一装置の異なるステージの電子回路に電力を供給するのに適合しており；前記光源（１４）は、前記複数の光電池を照らすのに適合している、電力の供給装置。
【請求項２】
少なくとも一つの支持構造（１５）を備え、該支持構造（１５）は前記複数の光電池（１２）を支持するのに適合していることを特徴とする、請求項１に記載の装置。
【請求項３】
前記複数の光電池からの出力電圧を安定化させるための複数の回路（１３）を更に備え、前記安定化回路（１３）は、前記複数の光電池（１２）のグループの下流、及び、前記複数の電力モジュール（１１）の上流に接続されることを特徴とする、請求項１又は２に記載の装置。
【請求項４】
前記少なくとも一つの支持構造（１５）が、少なくとも一つの平面パネルを備えることを特徴とする、請求項１乃至３のいずれか１項に記載の装置。
【請求項５】
前記少なくとも一つの支持構造（１５）が、前記人工の光源の周囲に、平行六面体、又は、角柱、又は、多面体の形状を有する幾何学的な構造を備えることを特徴とする、請求項１乃至３のいずれか１項に記載の装置。
【請求項６】
前記少なくとも一つの支持構造（１５）が、前記人工の光源の周囲に、球形の幾何学的な構造を備えることを特徴とする、請求項１乃至３のいずれか１項に記載の装置。
【請求項７】
冷却手段を更に備え、該冷却手段は、前記複数の光電池がオーバーヒートすることを防止し、その能力を最適化するために、前記複数の光電池を冷却することを特徴とする、請求項１乃至６のいずれか１項に記載の装置。
【請求項８】
前記少なくとも一つの人工の光源が、省エネのハロゲンランプと高輝度のＬＥＤを備える群から選択されることを特徴とする、請求項１乃至７のいずれか１項に記載の装置。
【請求項９】
同一装置の複数のステージに属する電子回路への分離した電力供給のための方法であって：
ａ）電力が供給される電子回路の電力供給部を、電力サブセクション（１１）に分割するが、その各々が他の電力サブセクションと電気的に共通点を持たないように分割するステップ；
ｂ）前記複数のサブセクション（１１）の各々を、出力電圧の安定化回路が備わる、複数の光電池（１２）のグループに連結するステップ；
ｃ）前記複数の光電池のグループに属する該複数の光電池（１２）を、適切な人工の光源（１４）の周囲に集め、前記複数の光電池（１２）は、支持構造（１５）に載置され、下流に存在し電力が供給される電子回路によって必要とされる電圧及び電流に従って、数が定められるステップ；
を有することを特徴とする、電力供給のための方法。
【発明の詳細な説明】
【技術分野】
【０００１】
本発明は、電子回路のための電力供給ユニットの技術分野に関する。
【背景技術】
【０００２】
複数のステージ、すなわちアクティブとパッシブの双方を備える電子装置を作成する際に生じる問題の一つが、同一装置の種々のステージの間における望ましくない相互作用であって、その現象は、とりわけ、線形増幅回路及びデジタルの増幅回路において深刻な問題であろう。
【０００３】
同一装置の種々のステージの間における望ましくない相互作用は、一般に、入力信号に加わるスプリアス信号を併発し、そして、信号それ自身の変調を起こす。
【０００４】
従って、この変調が回路の入力における信号を変更し、これにより、出力信号がそれに応じて「汚く」なり、前記回路の出力において期待される公称信号とは異なってくるであろう。
【０００５】
スプリアス信号は、容量的に（capacitively）、又は誘導的に、又は無線周波数（RF）のカップリングによって、種々のステージに属する回路から発生する。
【０００６】
上記の現象が導くのは、より小さな信号の抑制、より速い信号の減速、もともとは存在していなかった信号の出現である。
【０００７】
これらの損害を与える干渉を抑圧しようとして、パワーバッファ、トランス、光アイソレーター等を備える種々のステージの間に、インターフェース回路が用いられる。
【０００８】
内部の電子回路にマイナスに影響する、電子装置におけるもう一つの障害の源は、電力供給部である。実際、全ての回路のステージは、その操作の間に、ある程度の電流を吸収する。この電流には、電力の入った電子部品のスイッチング過渡現象の間、種々の強度と顕著なピークが存在する。同一装置の全ての回路のステージの電源電流は、お互いに異なっており、時間と共に種々のパターンを取るが、電力供給ユニットによって代表される共通点に向かって合流し、それによって、種々の電力の入ったステージに伝わる干渉が生じ、その挙動を変更し、出力信号を、公称信号とは異ならせることにより「汚す」。
【０００９】
上記の欠点を取り除くために、同一装置の電力供給部は、電力が入るステージが存在するのと同じ数だけ多くの電力供給回路に分割されてもよいが、それらが供給する電流は、常に、単一のエネルギー源から分配され、該エネルギー源は、全ての電流が戻っていく電力供給ネットワークであるが、それによって、上記の相互干渉の現象が起こる。
【００１０】
電力供給回路をお互いに分離しようとして、非カップリングステージが電力供給回路に導入されたが、それは、同一装置の異なる回路部の間の、そのような相互干渉の現象を抑圧しようとするためである。ここで用いられる技術は、通常、抵抗と容量（capacity）を持つ単純な回路から、集積回路を持つ回路や、絶縁変圧器を持つ回路に及ぶ。
【００１１】
これらの回路は、この現象を減衰させることが可能というだけであって、完全に抑止することは出来ない。というのも、結局は、単一のステージの電源電流の変化が、常に電力供給ネットワークとなっている主要なエネルギー源に加わるからである。
【００１２】
もしその回路が、電力源としての電池の使用に備えているなら、共通の電力供給による干渉を抑圧する方法とは、種々のステージに電力を供給する多くの電池を用いることであろうが、この解決法は、一般に、大変複雑であり、コストもかかり、維持することが困難である。
【先行技術文献】
【特許文献】
【００１３】
【特許文献１】イタリア国特許１，３２３，２７７号
【発明の概要】
【発明が解決しようとする課題】
【００１４】
本発明によって、上記の技術的問題が克服され、電力供給による、同一装置内の複数のステージ間の望ましくない相互作用が、完全に抑止される。
【００１５】
結論として言えることは、共に接続された種々の装置が、それによって生み出されるＥＭＩ信号やスプリアス信号によって相互に作用し、相互作用の源は、共通の電力ラインであるということである。本発明の目的は、前記の技術的な問題を減少することであり、それは、添付の請求項で規定される、電力供給のための分離した装置を導入することによるものである。
【課題を解決するための手段】
【００１６】
本発明は、電子回路のための電力供給ユニットの技術分野に関し、とりわけ、フィルタリングと電磁気の干渉を軽減するシステムを備える電力供給ユニットに関する。
【００１７】
したがって、本発明が基づいているのは、電力供給部をいくつかのサブセクションに分割し、その一つ一つが、電力が供給される各々のステージのためにある、ということである。
【００１８】
前記分割が存在する結果、各サブセクションは、他のサブセクションと共通点を持たず、電気的に独立した電源と結び付けられ、該電源は、一つ以上の人工的な光源によって光が当てられる太陽電池を有する構造に基づき、該光源は、省エネのハロゲンランプ又は高輝度のＬＥＤを備える群から好ましく選択される。それによって、各電力のサブセクションによって発生する電流は、共通する回帰点を持たず、光源の上流から放射される光子の間での相互作用も不可能なので、単一のステージの電源電流による相互作用の完全な解消が得られる。
【図面の簡単な説明】
【００１９】
【図１】図１が示すのは、本発明による装置の第一好適実施例のブロック図である。
【図２】図２が示すのは、本発明による装置の第二好適実施例のブロック図である。
【発明を実施するための形態】
【００２０】
本発明は、同一装置の電子回路の分離された電力供給の装置及び方法に関する。前記方法は、以下のステップに基づく。
【００２１】
ａ）調査中の電子回路１０の電力供給部を、電力サブセクション１１に分割し、各サブセクションが他のサブセクションと電気的に共通する接点を持たないように、分割する。
【００２２】
ｂ）前記各サブセクションを、太陽電池又は光電池１２のグループに連結し、それには場合により、出力電圧の安定化回路１３が備わる。
【００２３】
ｃ）太陽電池の前記グループに属する太陽電池を、適切な人工の光源１４の周りに集め、前記太陽電池は、好ましくは、支持構造１５に載置され、下流に存在し、電力が供給される電子回路に必要とされる電圧と電流によって、数が定められる。
【００２４】
同様に、及び、付随する図１及び２を参照して、本発明による電子回路の分離した電力供給のための装置は、以下の構成要素を備える：
少なくとも一つの支持構造１５であって、該支持構造は複数の光電池１２を支持するように適合しており、前記光電池１２は、所望の強さの出力電圧と電流を供給するために、グループとなるように電気的に接続されている；
複数の電力モジュール１１であって、該モジュールは前記光電池のグループの出力に連関するものであり、適切な値の電圧と電流によって、電子回路の種々の部分に電力を供給するのに適合している；
少なくとも一つの光源１４であって、該光源は前記光電池を照らすために、前記支持構造を伴うものである。
【００２５】
本発明の好適実施例において、同一装置（apparatus）の異なるステージに属する電子回路の分離した電力供給のための前記装置（device）は、更に、前記光電池からの出力電圧を安定化させる複数の回路を備え、前記安定回路は、前記光電池のグループの下流、及び、前記電力モジュールの上流に接続される。
【実施例】
【００２６】
付随する図２を参照すると、前記支持構造は、好ましくは、人工の光源の周囲に、平行六面体、角柱、又は多面体の形状を有する幾何学的な構造から作られるが、それは、用いられている太陽電池の効率を最大限にするためであって、光源から放射される光子の入射をそこで最大限にすることによるものである。
【００２７】
あるいは、付随する図１で示されているように、前記支持構造は、平面のパネルで構成されていてもよく、この場合、放射される光子を前記パネルに集中するために、反射要素の伴う光源を用いる。
【００２８】
更に、前記支持構造は、電力の供給される電子装置の容器の内側にあっても、外側にあってもよく、分離した容器を備えていてもよい。用いられる幾何学的な硬い構造は、本願の出願人によって取得された特許文献１に記載の構造に似ていてもよく、そこでは、内側が光電池で被覆された側面を有し、人工の光源の周りに配置された平行六面体の構造がクレーム化されている。その代わりに、たとえ構造上の複雑性が増加したとしても、閉じた球体の構造が用いられてもよい。
【００２９】
もし必要とされる電力が高いなら、例えばファンのような冷却手段が有利に載置されてもよく、それは、光電池がオーバーヒートすることを防ぎ、その能力を最大限に発揮させるよう光電池を冷却するためのものである。
【００３０】
用いられる光電池の数と寸法は、必要とされる電力供給の電圧と電流に加えて、光源の強さによるものである。現状の技術では、スペースと電気的な能力の点での最良の結果は、新たな省エネのハロゲンランプを用いることによって得られるが、光電池に十分な電流を供給することのできるいかなる光放射装置でも、適合する。
【符号の説明】
【００３１】
１０  電子回路
１１  電力モジュール
１２  光電池
１３  安定化回路
１４  光源
１５  支持構造
【図１】
0005536883.tif 000002
【図２】
0005536883.tif 000003